(57)【要約】【課題】従来の光学式記録再生装置においてはレーザーピックアップレンズや磁界変調型ヘッドは、レーザー光や板状メディアに乱反射、もしくは、突き抜けたレーザー光の電磁波や記録再生装置内部の電子回路、もしくは外部からの電磁波の影響を受け、デジタルデータのエラーレートやジッターの増大を引き起こし、正確なデジタルデータの記録再生に支障を来たしている欠点があった。【解決手段】  本発明の電磁波吸収機能を有する光学式記録再生装置は、板状メディアと、レーザーピックアップレンズと、このレーザーピックアップレンズの近傍に配置した電磁波を吸収する電磁波吸収体とを有することを特徴とする。また、本発明の電磁波吸収機能を有する光学式記録再生装置は、板状メディアと、レーザーピックアップレンズと、上記板状メディアの近傍に配置した電磁波を吸収する電磁波吸収体とを有することを特徴とする。【選択図】図１
2010033699.tif 000002
【特許請求の範囲】
【請求項１】
レーザーピックアップレンズと、このレーザーピックアップレンズの近傍に配置した電磁波を吸収する電磁波吸収体とを有することを特徴とする光学式記録再生装置。
【請求項２】
情報が記録又は再生される板状メディアの収納領域と、当該収納領域またはその近傍に配置した電磁波を吸収する電磁波吸収体とを有することを特徴とする光学式記録再生装置。
【請求項３】
情報の記録又は再生中において板状メディア保持する保持部材、および板状メディアの記録・再生位置に案内するトレイ部材を具備し、当該保持部材およびトレイ部材の少なくとも何れかが、電磁波を吸収する電磁波吸収体を含有する材料で形成されていることを特徴とする光学式記録再生装置。
【請求項４】
光学式記録再生装置の外殻を形成する筐体の内面に、シート状または板状の電磁波吸収体を添設してなり、当該電磁波吸収体は、軟磁性材料を用いて形成された電磁波吸収体であることを特徴とする、光学式記録再生装置。
【発明の詳細な説明】
【技術分野】
【０００１】
本発明は光学式記録再生装置、特に電磁波吸収機能を有する光学式記録再生装置に関するものである。
【背景技術】
【０００２】
現在、デジタルデータや映像、音声などの光学式記録再生装置においては、光学式ディスク（ＤＶＤ、ＣＤ、ＭＤ、ＭＯなど）に対しレーザーピックアップや磁界変調型ヘッドを使用し、記録または再生を行っている。
【０００３】
関連する先行文献としては、特許文献１（特開２００５−３１０２５５号公報）が提案されている。この特許文献では、ノイズ発生源である光ピックアップユニットから放射された高周波ノイズは、その一部が筐体内壁面で開口部へ近付く方向へ反射しており、筐体内壁に設けられる突起部の形状と位置によって高周波ノイズの反射角度が変化するため、一様な突起形状では十分な散乱効果、即ち不要輻射の抑圧効果が得られないという課題を解決するべく、ディスクメディアの挿入／取り出しをするための開口部と高周波信号発生部を有する箱状の電子機器用金属筐体において、導電性の突起部または凹凸部を内壁面に連続的または離散的に形成し、かつ高周波信号発生部に対する突起部または凹凸部を形成する面との対向角度を高周波信号発生部と開口部との距離に応じて変化させ、高周波信号発生部から突起部または凹凸部へ放射された高周波ノイズが突起部または凹凸部において開口部から遠ざかる方向あるいは開口部とは異なる方向に反射するようにしている。
【先行技術文献】
【特許文献】
【０００４】
【特許文献１】特開２００５−３１０２５５号公報
【発明の概要】
【発明が解決しようとする課題】
【０００５】
現在、光学式記録再生装置に使用されているレーザーピックアップレンズや磁界変調型ヘッドは、レーザー光や板状メディアに乱反射、もしくは、突き抜けたレーザー光の電磁波や記録再生装置内部の電子回路、もしくは外来からの電磁波の影響を受け、デジタルデータのエラーレートやジッターの増大を引き起こし、正確なデジタルデータの記録再生に支障を来たしている。
【０００６】
すなわち、光学式記録再生装置は、記録再生されている板状メディアの記録面にレーザー光を照射して、板状メディアの記録再生面に形成されたピットとランドの位置を読み取って、デジタルデータおよび信号の読み取りを行っている。その際、板状メディアにおけるピット部分に照射されたレーザー光は反射および乱反射することになる。また、板状メディアにおけるランド部分に照射されたレーザー光も、板状メディアが低湿度環境化において帯電したり、信号記録面の保護層の透明度が下がったり、板状メディアに塵埃やキズが付いたり、記録面に酸化膜が形成されたり等の原因により反射又は乱反射して電磁波が増幅してしまう。そして、かかるレーザー光も電磁波の一種であるため、光学式記録再生装置内部の信号経路回路素子やアースラインを形成する筐体などに電磁波被爆を引き起こし、電気的に悪影響を与えることになる。具体的には光学式記録再生装置本体、光学式記録再生装置の電源部や電源ライン、光学式記録再生装置に接続する導電体信号ケーブル・光ファイバーケーブルや、他の記録再生装置・周辺機器・端末機器・増幅器の信号ライン・アースライン・アースラインを形成する筐体にまで電磁波被爆を引き起こすことになる。その結果、デジタルデータ・映像信号・音声信号などが電磁波被爆によって、帯磁に類似した状況を引き起こし（以下では単に「帯磁」という）、磁気歪みを誘発し、良好なデジタルデータ・映像信号・音声信号の伝送・増幅、或いは拡声器に悪影響を与えたり、エラーレートやジッターの上昇を招くとの問題がある。
【０００７】
この点、前記特許文献１では、光ピックアップユニットから放射された高周波ノイズに着目して、不要輻射の抑圧効果を期待するものであるが、光ピックアップユニットから放射されたレーザー光の反射により増幅した電磁波吸収体を吸収し減じるものではない。
【０００８】
よって本発明は上記の課題を解決し、レーザー光の乱反射による電磁波被爆の問題を解消し、良好なデジタルデータ・映像信号・音声信号の伝送・増幅等を行い、エラーレートやジッターの発生を抑えた光学式記録再生装置を提供することを課題とする。
【課題を解決するための手段】
【０００９】
本発明は種々実験、研究の結果、レーザーピックアップレンズや磁界変調型ヘッドは、レーザー光や板状メディアに乱反射、もしくは、突き抜けたレーザー光により増幅された電磁波や、記録再生装置内部の電子回路、もしくは外部からの電磁波の影響を受け、デジタルデータのエラーレートやジッターの増大を引き起こし、正確なデジタルデータの記録再生に支障を来たしていること、またこれによって、映像の画質劣化、音声の音質劣化に至ることを見出した。
【００１０】
本発明は、かかる知見に基づいてなされたものである。
本発明の電磁波吸収機能を有する光学式記録再生装置は、板状メディアと、レーザーピックアップレンズと、このレーザーピックアップレンズの近傍に配置した電磁波を吸収する電磁波吸収体とを有することを特徴とする。
【００１１】
また、本発明の電磁波吸収機能を有する光学式記録再生装置は、板状メディアと、レーザーピックアップレンズと、上記板状メディアの近傍に配置した電磁波を吸収する電磁波吸収体とを有することを特徴とする。
【００１２】
上記本発明にかかる光学式記録再生装置は、何れも電磁波吸収体を設置するか、或いは既存の光学式記録再生装置に使用されている部品を電磁波吸収体を含有する材料で形成している。その結果、記録再生時においてレーザー光が板状メディアで反射又は乱反射して増幅した電磁波（即ち、電気的な悪影響を与える電磁波ノイズ）は、この電磁波吸収体により吸収することができる。即ち、この電磁波吸収体により電磁波ノイズフィルターを形成し、光学式記録再生装置本体や、これに接続する周辺機器や伝送ケーブル（光ファイバーケーブルおよび導電体ケーブルを含む）、電源部及び電源ライン、増幅器、拡声器などにおける電磁波被爆を防止して、良好なデジタル信号・映像信号・音声信号の伝送・増幅を可能とし、これにより光学式記録再生装置のエラーレートやジッターの上昇を同時に防止することができる。
【００１３】
なお、本発明における電磁波吸収体とは、電磁波を熱エネルギーに変換させる性質を持つ媒体をいい、損失誘電体材料、フェライト、ゴムフェライト等の磁性材料を含有する磁性体および合金である。かかる電磁波吸収体は、一般名称としてノイズ抑制シート、ノイズカットシート、電磁波吸収シート、電波吸収シート、電磁波制御材、制振合金シートなどと称されている。
【００１４】
特に本発明にかかる電磁波吸収体は、その内部に電磁波を取り込む為に、表面においては光学式記録再生装置に使用されているレーザー光とのインピーダンスマッチングを取った設計をしていることが望ましく、ギガヘルツ帯域の電磁波ノイズを効果的に吸収できるように設計されていることが望ましい。また鉄、純鉄、ケイ素鉄、パーマロイ、スーパーマロイ、パーメンジュール、アモルファス、センダクト、MnZnフェライト等の材料を用いて形成された軟磁性材料を用いて形成されることが望ましい。また高周波帯域の電磁波を吸収することのできる電磁波吸収体であることが望ましい。而して、本発明において光学式記録再生装置に使用されているレーザー光に起因する電磁波を効果的に吸収するためには、電磁波吸収体として、高密度軟磁性金属磁性体を用いて形成された電磁波吸収体を使用することにより、効果的且つ確実に、レーザー光に起因する電磁波を吸収することができる。
【００１５】
かかる本発明の光学式記録再生装置は、以下の技術的思想および原理により、後述の効果を効果することができる。
【００１６】
即ち、現在の映像・音声などの光学式記録再生装置は、光学式ディスク（ＤＶＤ、ＣＤ、ＭＤなど）に記録された情報を、レーザーピックアップや磁界変調型ヘッドを使用し、記録再生を行っている。その際、ディスクの反射面（即ち記録面）にレーザー光を照射し、反射した戻りレーザー光や周囲に飛散したレーザー光により、増幅された電磁波が発生するものと考えられる。また光学式記録再生装置内部の電子回路からも電磁波が発生していることが考えられる。そしてこの電磁波が記録再生装置内部やその筐体、光学式ディスク自体、またはそれに電気的に導通・接続する増幅器・伝送ケーブル・拡声器などの電気的導体部分に飛散乃至は伝播し、徐々に飛散乃至は伝播した部分が帯磁してくる。
【００１７】
例えばこの現象を特に伝送ケーブルを例に説明すると、伝送ケーブルは、発生した電磁波により帯磁して磁性体になったのと同じような状況になり、かかる状況下において、映像音声などの電気信号の良好な伝送が妨げられることが考えられる。その結果、映像の画質劣化、音声の音質劣化に至ると考えられる。
【００１８】
またレーザーピックアップ部分に着目すると、レーザー光と光学式ディスクとの間に発生する電磁波が、レーザーピックアップの電磁制御部分に飛び付き、電磁制御部分に悪影響を与え、デジタル信号の読み取り不具合が発生し、エラーレートやジッターの増大を招き、映像及び音声信号の劣化を招き、良好な画質や音声再生の妨げとなる。
【００１９】
そこで本発明では、レーザーピックアップレンズの近傍、ローディングした板状メディアの設置領域又はその近傍、当該光学式記録再生装置の筐体内の少なくとも何れかの位置に電磁波吸収体を設置するか、或いは電磁波吸収材料を含む材料で板状メディアを運搬するディスクトレイを形成することにより、このような電磁波を吸収することにより光ケーブル・伝送ケーブルなどの信号伝達ラインや、増幅器、拡声器などの機器、或いは光学式記録再生装置に接続される他の周辺機器の磁化を阻止し、画質や音質劣化、あるいはエラーレートやジッターの増大をなくすことができる。なお、電磁波吸収体の設置距離については、使用する電磁波吸収体の性質乃至は特性により、適宜調整することができる。
【発明の効果】
【００２０】
本発明の電磁波吸収機能を有する光学式記録再生装置によれば、レーザーからの電磁波や、板状メディアに乱反射もしくは、突き抜けたレーザー光により増幅された電磁波や記録再生装置内部の電子回路や外部からの電磁波を、電磁波吸収体で吸収でき、レーザーピックアップレンズ部分の電磁制御部分に対する電磁波の飛散を防止し、レーザー光の照射安定性を高め、レーザー光の乱反射による電磁波も吸収でき、デジタル信号の読み取り不具合を防止し、エラーレートやジッターの上昇を低下させることが可能になり、これにより良好な画質や音声記録再生が可能になる。また、音声信号の場合、高度且つ高額な電子素子及びＤ／Ａ変換能力を持つＤ／Ａコンバータなどの電子部品を採用しなくても、良好な音声再生が可能になるので、低コストな記録再生装置にすることが可能になるなどの利点も発生する。
【図面の簡単な説明】
【００２１】
【図１】本発明の電磁波吸収機能を有する光学式記録再生装置の説明図である。
【図２】レーザーピックアップレンズ近傍を示す拡大図である。
【図３】第１の実施形態に関連する他の実施の形態を示す略図である。
【図４】第２の実施の形態にかかる光学式記録再生装置の全体構成を示す斜視図である。
【図５】第２の実施の形態に関連する他の実施の形態にかかるディスクトレイを示す平面図である。
【図６】第３の実施の形態にかかる光学式記録再生装置の内部構造の要部を透視して示す斜視透視図である。
【図７】電磁波の散乱状態を示す略図であり、（Ａ）は電磁波吸収体７を設置しない状態、（Ｂ）は電磁波吸収体７を設置した状態を示している。
【発明を実施するための形態】
【００２２】
以下、図面に示した実施の形態に基づいて、本発明にかかる光学式記録再生装置の具体的な実施態様を説明する。
【実施例１】
【００２３】
図１は、本実施の形態にかかる光学式記録再生装置１０における、データの記録・再生部分を示す要部拡大図であり、図２はレーザーピックアップレンズ近傍を示す拡大図であり、図７は電磁波の散乱状態を示す略図であり、（Ａ）は電磁波吸収体７を設置しない状態、（Ｂ）は電磁波吸収体７を設置した状態を示しており、図３は関連する他の実施の形態を示す略図である。
【００２４】
図１をはじめとする各図において、符号１はＣＤ等の板状メディア、符号２はこの板状メディア１を保持するチャッキングプレート、符号３は板状メディア１を回転駆動させるモーター、符号４はレーザーピックアップ、符号５はレーザーピックアップレンズ、符号６は照射するレーザー光、符号７は電磁波吸収体、符号８はディスクトレイ、符号９はレーザー照射の為の開口、符号１０は光学式記録再生装置を示す。
【００２５】
本実施の形態においては、レーザー６を板状メディア１に照射させるレーザーピックアップレンズ５とローディングした板状メディア１の設置領域の双方または何れか一方の近傍に、電磁波吸収体７を設置している。特に、本実施の形態において、電磁波吸収体７としては、高密度軟磁性金属磁性体を使用して形成された電磁波吸収体７が使用されており、具体的には日本電波吸収体株式会社製の品名：ＭＳＩ３０が使用されている。
【００２６】
特に、前記レーザーピックアップレンズ５の近傍に配置する電磁波吸収体７は、例えば図２に示すように、当該レーザーピックアップレンズ５のすぐ隣に、レーザーピックアップレンズ５が設置されてい部位と同一部材に設置することが望ましい。具体的には、電磁波吸収体７としてシート状、または板状のものを使用し、これを設置されたレーザーピックアップレンズ５の両側又は片側に添設することが望ましい。その他にも、当該電磁波吸収体７は、レーザーピックアップレンズ５を包囲するように円形或いは矩形に設置することができる。
【００２７】
一般に、光学式記録再生装置１０において記録・再生を行う際、レーザーピックアップレンズ５の近傍に電磁波吸収体７を設置しなければ、図７（Ａ）に示すように、レーザーピックアップレンズ５から記録および／または再生されている板状メディア１に照射されたレーザー光６（電磁波）は、その一部が意図しない方向に乱反射して、当該レーザーピックアップ４近傍に散乱することになる。
【００２８】
しかしながら本実施の形態に示すようにレーザーピックアップレンズ５の近傍に電磁波吸収体７を設置すれば、図７（Ｂ）に示すように、当該電磁波吸収体７は、レーザー光６から発生する電磁波、光学式ディスク（板状メディア１）に反射したときに発生する電磁波や周囲に飛散した電磁波を効率よく吸収し、吸収した電磁波エネルギーを熱エネルギーに変換させることができる。よって、レーザーピックアップ部分の電磁波制御部分に対する電磁波の飛散を防止でき、デジタル信号の読み取り不具合を防止し、エラーレートやジッターを低下させることが可能になる。
【００２９】
更に、このようにレーザーピックアップレンズ５の近傍に電磁波吸収体７を配置した場合には、光学式ディスクで反射乃至は拡散される電磁波を、最も効率的に捕らえて吸収することができるので、電磁波の反射を早期の段階で効率的に抑え、光学式記録再生装置本体１０やそれに付加する電気装置、伝送ケーブルへの電磁波の被曝も防止可能となる。よって伝送ケーブル等の帯磁効果を防止し、良好な映像及び音声の電気信号の伝送が可能になり、良好な画質や音声記録再生が可能になる。
【００３０】
したがって、このレーザーピックアップレンズ５の近傍に電磁波吸収体７を設置することにより、当該電磁波吸収体７の使用量を少なくしながらも、最適な電磁波吸収効果を得ることができる。なお、レーザーピックアップレンズ５の近傍に電磁波吸収体７を設置する結果、当該電磁波吸収体７もレーザーピックアップレンズ５と共に、板状メディア１の記録再生時にアクチュエータなどにより移動される事になるが、当該電磁波吸収体７の使用量は僅かで済むことから、当該ぴレーザーピックアップレンズ５の移動に負荷や障害を来たす事は無い。
【００３１】
また本実施の形態において、電磁波吸収体７は、図１に示すように、光学式記録再生装置１０内にローディングされた板状メディア１が存在する領域、即ち収納領域にも設置されている。この収納領域に設置される電磁波吸収体７は、記録・再生時において回転中の板状メディア１（即ち、光学式ディスク）に近接させて対向配置してなり、少なくとも当該板状メディア１内で散乱したり、あるいは板状メディア１を透過した電磁波を吸収するものである。したがって当該電磁波吸収体は、かかる機能を確保できる大きさのシート状または板状に形成することが望ましい。この電磁波吸収体７は、ローディングされた板状メディア１に対向して配置されるが、その位置はローディングされた板状メディア１の上面（レーベル面）と対向する位置でも、下面（記録面）と対向する位置でもよく、またその大きさは、板状メディア１の一部と対向する大きさであっても良い。例えば、当該電磁波吸収体７は、少なくともレーザーピックアップレンズ５の移動経路を覆うような位置および大きさのシート又は板状に形成することができる。また、板状メディア１に近接させて配置されることが望ましいが、光学式記録再生装置の内部構造や電磁波吸収体の性質乃至は特性により、電磁波吸収性能を担保できる距離に設置されればよい。
【００３２】
また、本実施の形態において使用される電磁波吸収体７は、シート状または板状であって、軟磁性材料を用いて形成された電磁波吸収体７であることが望ましい。シート状又は板状に形成することにより、当該電磁波吸収体７に平坦な面を形成することができ、これにより当該平坦な面に対して垂直に入射した電磁波を確実に吸収することができる。また軟磁性材料を用いることにより、レーザーピックアップ４に使用されるレーザー光６に起因する電磁波の吸収を効率的に行うことができる。
【００３３】
本実施の形態にかかる電磁波吸収機能を有する光学式記録再生装置１０は、上記のような構成であるから、レーザーからの電磁波や、板状メディア１に乱反射もしくは、突き抜けて増幅されたレーザーからの電磁波を、レーザーピックアップレンズ５近傍および／または板状メディア１の近傍に配置した電磁波吸収体７で吸収でき、レーザーピックアップ４部分の電磁制御部分に対する電磁波の飛散を防止し、レーザー光６の照射安定性を高め、デジタル信号の読み取り不具合を防止し、エラーレートやジッターを低下させることが可能になる。これにより良好なデジタルデータや映像及び音声のデジタル信号の記録再生が可能となり、良好な画質や音声記録再生が可能となる。
【００３４】
また、音声信号の場合、高度且つ高額な電子素子及びＤ／Ａ変換能力を持つＤ／Ａコンバータなどの電子部品を採用しなくても、良好な音声再生が可能となるので、低コストな記録再生装置にすることが可能になる等の利点も発生する。
【００３５】
更に、この実施の形態に関連し、図３に示すように、レーザーピックアップ４を包囲するように電磁波吸収体７を設けることもできる。このようにレーザーピックアップ４の周りを電磁波吸収体７で包囲した場合には、レーザーピックアップレンズ５部分の電磁制御部分に対する電磁波の飛散を確実に防止することができる。
【実施例２】
【００３６】
図４は、本実施の形態にかかる光学式記録再生装置１０の全体構成を示す斜視図であり、図５は関連する他の実施の形態にかかるディスクトレイ８を示す平面図である。
【００３７】
本実施の形態に示す光学式記録再生装置１０では、板状メディア１である光ディスクを光学式記録再生装置内に案内する為のディスクトレイ８を、磁性材料を含有する材料で成型してなる。かかる材料としては、軟磁性粉末を練り込んだ樹脂材料を用いることができ、ディスクトレイ８の成型に際して、その成型方法は問わない。また磁性材料は、センダスト合金などを電磁波吸収性能の高い扁平形状の粉末に加工したものを使用することができ、また高密度軟磁性金属磁性体となるように形成することができる。更にかかる磁性材料は、成型したディスクトレイ８が他の電子部品などと接触するおそれ等を考慮して、絶縁性を確保する為に粉末表面に酸化皮膜を形成させた後、樹脂材料に練りこむこともできる。そして当該軟磁性粉末を練り込む樹脂材料は特に問わないが、電磁波の吸収性能の観点では、ポリエチレン系樹脂であることが望ましい。当該磁性体の配合量は、使用する磁性材料に応じて、適宜調整すればよい。
【００３８】
このように形成された磁性体を含有する材料で形成されたディスクトレイ８を使用すれば、レーザーピックアップレンズ５から照射されて、板状メディア１で反射又は乱反射したレーザー光６（電磁波）や、板状メディア１を突き抜けたレーザー光６（電磁波）により増幅された電磁波、或いは記録再生装置内部の電子回路や外部からの電磁波を、記録再生面の近傍で吸収することができる。よって、レーザーピックアップレンズ５部分の電磁制御部分に対する電磁波の被曝を防止し、レーザー光６の照射安定性を高め、レーザー光６の乱反射による電磁波も吸収でき、デジタル信号の読み取り不具合を防止し、エラーレートやジッターを低下させることが可能になり、これにより良好な画質や音声記録再生が可能になる。
【００３９】
更に、この実施の形態に関連し、従来から使用されているディスクトレイ８に、電磁波吸収体７を貼付することもできる。即ち、通常の光学式記録再生装置１０において、ディスクトレイ８には、レーザーピックアップレンズ５から照射するレーザー光６を、板状メディア１の記録面に照射させるために、当該レーザーピックアップレンズ５の移動範囲に開口９が形成されている。そこで、この開口９の近傍に電磁波吸収体７を設けるものである。
【００４０】
このような位置に電磁波吸収体７を設置することで、板状メディア１で反射又は乱反射して増幅された電磁波を効果的に吸収することができる。なお、当該電磁波吸収体７は、ディスクトレイ８における上面（板状メディア１と対向する面）に設けても、その下面に設けても良い。
【実施例３】
【００４１】
図６は、本実施の形態にかかる光学式記録再生装置１０の内部構造の要部を透視して示す斜視透視図である。この実施の形態に示す光学式記録再生装置１０では、その内部、即ち光学式記録再生装置１０の外殻を形成する筐体の内面に、電磁波吸収体７を貼付してなる光学式記録再生装置１０である。
【００４２】
筐体の内面に電磁波吸収体７を設置する際には、その設置位置は特に制限されるものではなく、例えば当該筐体内に収容される電子部品や基板の近傍に設置したり、或いはレーザーピックアップレンズ５などの読取部近傍に設置することができる。
【００４３】
特に電子部品乃至は基板の近傍に電磁波吸収体７を設置した場合には、これらから発生する電磁波も吸収することができる為、信号の伝送ケーブルに対する電磁波の影響を極力抑えることができる。また、光学式での読取部近傍に電磁波吸収体７を設置した場合には、板状メディア１の記録または再生時に照射されるレーザー光６によって発生する電磁波を、広い範囲で吸収することが可能になる。
【００４４】
但し、当該電磁波吸収体７は、電磁波を吸収し、そのエネルギーを熱エネルギーに変換するものであるから、変換された熱を効果的に放出できる部分、例えば筐体の背面や側面などの内側の面に設置するのが望ましい。
【００４５】
また、筐体の内面に電磁波吸収体７を設置する場合には、広い範囲で、効率的に電磁波を吸収しなければならないことから、軟磁性材料を用いて形成された電磁波吸収体７、特に望ましくは高密度軟磁性金属磁性体を用いて形成された電磁波吸収体７を使用するのが望ましい。
【００４６】
特に、本実施の形態に示す光学式記録再生装置１０のように、筐体内に電磁波吸収体７を設置する実施態様においては、既存の光学式記録再生装置１０にも簡易に適用できることから望ましいものとなる。
【符号の説明】
【００４７】
１・・・板状メディア、２・・・チャッキングプレート、３・・・モーター、４・・・レーザーピックアップ、５・・・レーザーピックアップレンズ、６・・・照射するレーザー光、７・・・電磁波吸収体、８・・・ディスクトレイ、９・・・レーザー照射の為の開口、１０・・・光学式記録再生装置
【図１】
2010033699.tif 000003
【図２】
2010033699.tif 000004
【図３】
2010033699.tif 000005
【図４】
2010033699.tif 000006
【図５】
2010033699.tif 000007
【図６】
2010033699.tif 000008
【図７】
2010033699.tif 000009